(57)【特許請求の範囲】
【請求項１】
携帯型電子機器内に形成された電池収納室であって、
４本の縦長の電池が横並びに収納され、かつ携帯型電子機器の下側から電池をその長手方向に出し入れするための開口が形成された電池収納室と、
前記電池収納室の開口を開閉する電池蓋と、
前記電池収納室の奥行き端に設けられる４つの端子と前記電池蓋に設けられる４つの端子とを含み、前記電池蓋に設けられる４つの端子のうち両端の２つの端子が一枚の第１の端子板によって形成されるとともに、内側の２つの端子が１枚の第２の端子板によって形成され、かつ、前記電池収納室の奥行き端に設けられる４つの端子のうち片端の２つの端子が一枚の端子板によって形成されて、前記電池収納室に収納される前記４本の電池を直列に接続する端子部と、を備え、
前記第１の端子板は、前記電池蓋の強度を補強するように設けられていることを特徴とする携帯型電子機器。
【請求項２】
前記電池蓋は、前記電池収納室の開口部に回動自在に配設されるとともに閉じた回動位置でスライド自在に配設され、該電池蓋のスライド移動に伴って電池蓋側の第１の係合部が電池収納室側の係合部に係合して回動動作が阻止されるとともにロック手段によってスライド移動が阻止されるもので、前記第１の端子板はその一端が前記電池蓋を回動自在に支持する支軸に回動自在に配設され、前記電池蓋は前記第１の端子板に対してスライド自在に配設され、前記第２の端子板は前記電池蓋に固定されていることを特徴とする請求項１の携帯型電子機器。
【請求項３】
前記ロック手段は、前記第１の端子板と一体形成された先端に係合部を有する弾性片と、前記電池蓋側に設けられ前記弾性片の係合部が弾性をもって係合する第２の係合部とからなり、前記電池蓋のスライド移動に伴ってクリック動作することを特徴とする請求項２の携帯型電子機器。
【請求項４】
前記電池収納室の中央に支柱を設け、該電池収納室の強度を補強するようにしたことを特徴とする請求項１、２又は３の携帯型電子機器。
【請求項５】
請求項１、２、３又は４の携帯型電子機器は、ストロボを有するカメラであり、前記電池収納室の上部に前記ストロボ用のメインコンデンサが横向きに配置されていることを特徴とするカメラ。
【請求項６】
請求項１、２、３又は４の携帯型電子機器は、前記電池蓋及び三脚ネジがそれぞれ底面に設けられたカメラであり、前記三脚ネジを前記電池蓋と隣接する位置に設けたことを特徴とするカメラ。
【発明の詳細な説明】
【０００１】
【発明の属する技術分野】
本発明は携帯型電子機器及びカメラに係り、特に４本の電池を使用する携帯型電子機器及びカメラに関する。
【０００２】
【従来の技術】
従来、デジタルカメラなどのカメラでは、カメラ専用の二次電池を使用するものと、２本又は４本の電池（単３乾電池）を使用するものとが知られている。４本の電池を使用するカメラは、２本の電池を使用するものと比較してカメラ内の電池の占める容積が大きくなるが、４本の電池を直列接続することにより、大幅に昇圧しなくても液晶モニタや固体撮像素子などを駆動するための高電圧が得やすく、また電気量も２倍となる利点がある。
【０００３】
ところで、カメラ底部から４本の電池を長手方向に出し入れするようにしたカメラにおける電池の配置は、２本ずつ電池が重なるように配置するものや、３本の電池を横並びに配列し、残りの１本を３本の電池の上に重なるように配置するものがある。
【０００４】
【発明が解決しようとする課題】
しかしながら、４本の電池を使用する従来のカメラは、いずれも電池が重なるように配置されるため、電池の重なりによりカメラの厚みが厚くなるという問題がある。
本発明はこのような事情に鑑みてなされたもので、４本の電池を使用する機器の小型薄型化を図ることができる携帯型電子機器及びカメラを提供することを目的とする。
【０００５】
【課題を解決するための手段】
前記目的を達成するために本願請求項１に係る発明は、携帯型電子機器内に形成された電池収納室であって、４本の縦長の電池が横並びに収納され、かつ携帯型電子機器の下側から電池をその長手方向に出し入れするための開口が形成された電池収納室と、前記電池収納室の開口を開閉する電池蓋と、前記電池収納室の奥行き端に設けられる４つの端子と前記電池蓋に設けられる４つの端子とを含み、前記電池蓋に設けられる４つの端子のうち両端の２つの端子が一枚の第１の端子板によって形成されるとともに、内側の２つの端子が１枚の第２の端子板によって形成され、かつ、前記電池収納室の奥行き端に設けられる４つの端子のうち片端の２つの端子が一枚の端子板によって形成されて、前記電池収納室に収納される前記４本の電池を直列に接続する端子部と、を備え、前記第１の端子板は、前記電池蓋の強度を補強するように設けられていることを特徴としている。これにより、４本の電池を使用する機器の薄型化を図ることができ、また予め固定された端子間に電池を着脱するものに比べて電池交換を容易に行うことができる。
【０００６】
更に、第１の端子板は、電池蓋の略全長にわたって設けられるため、電池蓋を補強することができる。また、上記構成の第１及び第２の端子板により、４本の直列接続された電池から電源を取り出すための２本のハーネスは、電池収納室内の隣接する電池の端子に接続することができ、２本のハーネスの処理が簡単になる。
【０００７】
また、前記電池蓋は、本願請求項２に示すように前記電池収納室の開口部に回動自在に配設されるとともに閉じた回動位置でスライド自在に配設され、該電池蓋のスライド移動に伴って電池蓋側の第１の係合部が電池収納室側の係合部に係合して回動動作が阻止されるとともにロック手段によってスライド移動が阻止されるもので、前記第１の端子板はその一端が前記電池蓋を回動自在に支持する支軸に回動自在に配設され、前記電池蓋は前記第１の端子板に対してスライド自在に配設され、前記第２の端子板は前記電池蓋に固定されていることを特徴としている。即ち、電池蓋をスライド移動させる際に、第１の端子板は移動せず第２の端子板のみが移動するため、摺動抵抗を小さくすることができる。
【０００８】
更に、前記ロック手段は、本願請求項３に示すように前記第１の端子板と一体形成された先端に係合部を有する弾性片と、前記電池蓋側に設けられ前記弾性片の係合部が弾性をもって係合する第２の係合部とからなり、前記電池蓋のスライド移動に伴ってクリック動作することを特徴としている。即ち、電池蓋のロック手段は、第１の端子板と一体形成されるため、部品点数の削減を図ることができる。
【０００９】
また、本願請求項４に示すように電池収納室の中央に支柱を設けることにより、電池収納室の強度を補強するようにしている。本願請求項５に係る発明は、ストロボを有するカメラであり、前記電池収納室の上部に前記ストロボ用のメインコンデンサが横向きに配置されていることを特徴としている。更に、本願請求項６に係る発明は、前記電池蓋及び三脚ネジがそれぞれ底面に設けられたカメラであり、前記三脚ネジを前記電池蓋と隣接する位置に設けたことを特徴としている。
【００１０】
【発明の実施の形態】
以下添付図面に従って本発明に係る携帯型電子機器及びカメラの好ましい実施の形態について詳説する。
図１は本発明に係るカメラを前方から見た斜視図であり、シャッタボタン１０の操作により静止画を外部記録媒体（図示しないスマートメディア等のメモリカード）に記録するデジタルカメラに関して示している。
【００１１】
同図において、１２は撮影レンズ、１４は光学ビューファインダの対物レンズであり、これらのレンズは、図１上で上下方向にスライドするレンズカバー１６によって開閉される。尚、１８は、閉じた状態のレンズカバー１６を開放させるためのカバー開放ボタンである。
また、２０はストロボ発光窓、２２はセルフ撮影等に使用されるタリーランプ用の発光窓、２４はスロトボ調光センサ用の受光窓である。更に、２６は撮影距離を切り替える遠近切替えレバー、２７はデジタル端子、２８はビデオ出力端子、２９はＡＣアダプタから電源を入力するＤＣ入力端子である。
【００１２】
図２は上記カメラを後方から見た斜視図であり、メモリカード収納部のカードスロット３０を開閉するための蓋３２が開放された状態に関して示している。尚、３４は蓋３２の開閉を検出する検出スイッチであり、３６は蓋３２を開放するための蓋開放レバーである。
また、図２において、３８は撮影モード、再生モード等の各種モードを選択するための回転ダイヤル、４０は回転ダイヤル３０で設定されたモードでの各種設定項目の選択や、選定内容の変更を指示するための十字キー、４２は実行ボタンであり、これらの回転ダイヤル３８、十字キー４０、実行ボタン４２によって撮影時や再生時での各種の設定が行われる。
【００１３】
更に、４４は電源スイッチ、４６は光学ビューファインダの接眼部、４８は表示ボタン、５０は液晶モニタである。この液晶モニタ５０は、電源スイッチ３６がＯＮされても撮影モードの場合には、節電のために電源が供給されず、被写体を示す画像（動画）を表示しないようになっている。この場合には、光学ビューファインダを使用することによりフレーミングを行うことできる。尚、表示ボタン４８がＯＮされると、液晶モニタ５０には電源が供給され、液晶モニタ５０は被写体を示す動画を表示し、これにより液晶ビューファインダとして使用できる。また、液晶モニタ５０は、再生時には表示ボタン４８の操作にかかわらず、適宜メモリカードから読み出された静止画を表示する。
【００１４】
図３は上記カメラの底面図である。同図に示すように、カメラ底面には、三脚ネジ５２及び電池蓋５４が設けられている。この三脚ネジ５２は、電池蓋５４に隣接して設けられているが、電池蓋５４が大きいためカメラ中央から偏倚した位置に設けられている。
図４は上記カメラを底側から見た斜視図であり、電池蓋５４が開放された状態に関して示している。
【００１５】
同図に示すように、カメラ内には４本の単３乾電池を横並びに収納することができる電池収納室５６が設けられており、カメラ底面には電池収納室５６の開口を開閉するための電池蓋５４が設けられている。そして、４本の単３乾電池は、カメラ底面の電池収納室５６の開口から出し入れされる。尚、電池収納室５６の強度を補強するために、電池収納室５６内の中央部に破線で示す支柱５８を設けることが好ましい。
【００１６】
上記電池蓋５４は、主として樹脂製の電池蓋本体６０と、第１の端子板６２と、第２の端子板６４とから構成されており、図４に示す開放された状態からカメラ底面と同一面まで回動させ、その後、カメラ後方に向かってスライドさせることにより閉じられる。尚、この電池蓋５４の開閉動作の詳細については後述する。
【００１７】
図５は図４に示した電池蓋５４の拡大図である。第１の端子板６２は、図５に示すように１枚の板金部材によって構成されており、図５上で左端に電池の負極と当接する端子６２Ａが形成され、右端に電池の正極と当接する端子６２Ｂが形成され、中央部にロック用の弾性片６２Ｃが一体形成され、更に上端６２Ｄが電池蓋５４を回動自在に支持する支軸６６に回動自在に取り付けられている（図６参照）。
【００１８】
電池蓋本体６０は、ガイド部６０Ａ、６０Ｂにより上記第１の端子板６２に対してスライド自在に配設され、抜け止め部６０Ｃ及び６０Ｄにより第１の端子板６２から外れないようになっている。この電池蓋本体６０は、その長手方向にわたって第１の端子板６２が並設されているため、この第１の端子板６２によって補強されている。
【００１９】
上記電池蓋本体６０には、第２の端子板６４が固定されている。第２の端子板６４は、１枚の板金部材によって構成されており、図５上で左端に電池の正極と当接する端子６４Ａが形成され、右端に電池の負極と当接する端子６４Ｂが形成されている。
次に、電池蓋５４を開閉する場合について、図６を参照しながら説明する。
【００２０】
まず、電池蓋５４を閉じる場合には、電池蓋５４を図６の二点鎖線で示す位置から実線で示す位置まで回動させ、続いて電池蓋５４（電池蓋本体６０）を図６上で左方向にスライドさせる。電池収納室５６の開口部にはフック５７が形成されており、一方、電池蓋本体６０には、前記フック５７と係合する凹部６１Ａが形成されており、前記電池蓋本体６０のスライド移動によってフック５７と凹部６１Ａとが係合する。これにより電池蓋５４の回動が阻止される。
【００２１】
また、電池蓋本体６０には、図６に示すように第１の端子板６２に一体形成された弾性片６２Ｃと対向して凹部６１Ｂ、６１Ｃが形成されている。前述したように電池蓋本体６０は、第１の端子板６２に対してスライド移動するが、図６の実線で示す位置からスライド移動することにより、弾性片６２Ｃの係合部が電池蓋本体６０の凹部６１Ｃに落ち込む。これにより、電池蓋本体６０は、弾性片６２Ｃの係合部と電池蓋本体６０の凹部６１Ｃとの係合力によってスライド移動に阻止される。
【００２２】
一方、電池蓋５４を開ける場合には、前記弾性片６２Ｃの係合部と電池蓋本体６０の凹部６１Ｃとの係合力に抗して電池蓋本体６０を図６上で右方向にスライドさせ、フック５７と凹部６１Ａとの係合を外す。これにより電池蓋５４を開けることができる。
図７はカメラ内の電池収納室５６を含む平面図である。同図において、６８Ａ〜６８Ｄは、電池収納室５６の奥行き端に設けられた弾性をもった端子であり、端子６８Ａと端子６８Ｂとは一枚の端子板によって形成されている。これらの端子６８Ａ〜６８Ｄと、図５に示した第１の端子板６２及び第２の端子板６４とから４本の電池７０を直列に接続することができる。また、これらの端子構造により、隣接する端子６８Ｃ、６８Ｄにハーネス７２を接続することができ、ハーネス７２の処理が簡単になる。
【００２３】
更に、電池収納室５６の上部には、ストロボ用のメインコンデンサ７４が横向きに配置され、デッドスペースを有効に利用している。
尚、この実施の形態では、カメラについて説明したが、これに限らず、本発明は携帯情報端末、電子ブック等の他の携帯型電子機器にも適用できる。
【００２４】
【発明の効果】
以上説明したように発明によれば、４本の縦長の電池が横並びに収納し、携帯型電子機器の下側から電池をその長手方向に出し入れするようにしたため、４本の電池を使用する機器の薄型化を図ることができ、また予め固定された端子間に電池を着脱するものに比べて電池交換を容易に行うことができる。また、電池蓋に設けられた４つの端子のうちの両端の２つの端子を１枚の第１の端子板によって形成し、内側の２つの両端の端子を１枚の第２の端子板によって形成したため、第１の端子板により電池蓋を補強することができる。更に、上記構成の第１及び第２の端子板により、４本の直列接続された電池から電源を取り出すための２本のハーネスは、電池収納室内の隣接する電池の端子に接続することができ、２本のハーネスの処理が簡単になる。
【００２５】
また、本発明によれば、電池蓋の開閉時に電池蓋をスライド移動させる際に、第１の端子板は移動せず第２の端子板のみが移動するため、摺動抵抗を小さくすることができる。更に、第１の端子板に一体形成した弾性片と電池蓋との相対的な移動によってクリック動作させるようにしたため、電池蓋のクリック機構の部品点数を削減することができる。更にまた、電池収納室の上部にストロボ用のメインコンデンサを横向きに配置したため、カメラ内のデッドスペースを有効利用することができる。
【図面の簡単な説明】
【図１】図１は本発明に係るカメラを前方から見た斜視図である。
【図２】図２は図１に示したカメラを後方から見た斜視図である。
【図３】図３は図１に示したカメラの底面図である。
【図４】図４は図１に示したカメラを底側から見た斜視図である。
【図５】図５は図４に示した電池蓋の拡大図である。
【図６】図６は電池蓋の開閉動作を説明するするために用いた図である。
【図７】図７は図１に示したカメラ内の電池収納室を含む平面図である。
【符号の説明】
１０…シャッタボタン
１２…撮影レンズ
５２…三脚ネジ
５４…電池蓋
５６…電池収納室
５７…フック
５８…支柱
６０…電池蓋本体
６０Ａ、６０Ｂ…ガイド部
６０Ｃ、６０Ｄ…抜け止め部
６１Ａ、６１Ｂ、６１Ｃ…凹部
６２…第１の端子板
６２Ａ、６２Ｂ、６４Ａ、６４Ｂ、６８Ａ〜６８Ｄ…端子
６２Ｃ…弾性片
６４…第２の端子板
６６…支軸
７０…電池
７２…ハーネス
７４…メインコンデンサ
【図１】
0003918123.tif 000002
【図２】
0003918123.tif 000003
【図３】
0003918123.tif 000004
【図４】
0003918123.tif 000005
【図５】
0003918123.tif 000006
【図６】
0003918123.tif 000007
【図７】
0003918123.tif 000008